(57)【要約】【課題】エンジンボンネット内への塵埃や刈草の入り込みを確実に回避するとともに、エンジンボンネット箇所における構造の小型化も図って、走行機体上の空間利用を効果的に行えるようにする。【解決手段】エンジンボンネット２０の開放端側に配置されたラジエータ２２の外周縁と前記エンジンボンネット２０の内周面との間に形成される空隙を閉塞する仕切部材３１と、ラジエータ２２の吸い込み方向の上手側に位置する塵埃除去用の防塵網３０とを、防塵網３０の周辺に仕切部材３１が接続された状態に一体化して、前記エンジンボンネット２０の開放端側を閉塞する位置で走行機体１側に固定された遮熱壁３を構成してある。【選択図】図５
2010012998.tif 000002
【特許請求の範囲】
【請求項１】
一端側を揺動支点として他端側を上下揺動自在に構成したエンジンボンネットを備える乗用型草刈機であって、
前記エンジンボンネットの上下揺動自在な他端側を開放端に形成するとともに、前記エンジンボンネットの開放端側に配置されたラジエータの外周縁と前記エンジンボンネットの内周面との間に形成される空隙を閉塞する仕切部材と、前記ラジエータの吸い込み方向の上手側に位置する塵埃除去用の防塵網とを備え、
これらの仕切部材と防塵網とを防塵網の周辺に仕切部材が接続された状態に一体化して、前記エンジンボンネットの開放端側を閉塞する位置で走行機体側に固定された遮熱壁を構成してあることを特徴とする乗用型草刈機。
【請求項２】
仕切部材と防塵網とが接続された状態に一体化してある遮熱壁を、その一体化された状態のままで走行機体に対して着脱自在に構成してある請求項１記載の乗用型草刈機。
【請求項３】
エンジンボンネットは、走行機体の後部側に配備された原動部において後部側を揺動支点として前部側を上下揺動自在に構成してあり、原動部の前方側に配備された運転座席の背面側に前記エンジンボンネットの開放端側を位置させてある請求項１又は２記載の乗用型草刈機。
【発明の詳細な説明】
【技術分野】
【０００１】
本発明は、一端側を揺動支点として他端側を上下揺動自在に構成したエンジンボンネットを備える乗用型草刈機の改良に関する。
【背景技術】
【０００２】
上記乗用型草刈機においては、従来より下記［１］，［２］に示す構造を備えたものが知られている。
［１］  走行機体の後端側を揺動支点として前端側を上下揺動開閉自在に構成したエンジンボンネットを備え、そのエンジンボンネットの前方側に運転座席を設けてあるとともに、エンジンボンネットの前端側を開放端とした乗用型草刈機において、エンジンボンネットの開放端側に位置するラジエータの前面側を覆う防塵網を備え、ラジエータの周りに仕切部材を配置し、防塵網は仕切部材に対してスライド操作によって着脱自在に構成したもの（特許文献１参照）。
［２］  走行機体の後端側を揺動支点として前端側を上下揺動開閉自在に構成したエンジンボンネットを備える乗用型草刈機において、そのエンジンボンネットの揺動端側に防塵網を一体に装着して、エンジンボンネットとともに揺動開閉できるようにした構造のもの（特許文献２参照）。
【０００３】
【特許文献１】特開平８−２６８０９０号公報（段落〔００１７〕、〔００１８〕、〔００１９〕、図２、図３、図４）
【特許文献２】特開２００６−２４８２６８号公報（段落〔００１３〕、〔００１７〕、図１、図３、図４）
【発明の開示】
【発明が解決しようとする課題】
【０００４】
特許文献１に示された構造のものでは、ボンネットの開放端側を防塵網や仕切部材で閉塞するようにしているので、ボンネットを比較的コンパクトに構成し易い点で有利なものであるが、前記防塵網と仕切部材との連結が、スライド操作によって着脱されるように構成してあるため、そのスライド構造部分で必然的に生じる間隙から、塵埃や刈草が入り込むことを回避し難いものであった。
また、特許文献２に示された構造のものでは、ボンネットと防塵網とが一体化されているため、前述した塵埃や刈草の入り込みを回避するには有効である。しかしながら、ラジエータの前面側を覆う防塵網がボンネットとともに上下揺動するものであるため、その上下揺動の際の防塵網下端側の円弧軌跡が固定位置にあるラジエータの上端部を越えて揺動移動できるように、予め防塵網をラジエータの前面から離間させて、ラジエータの前方側にかなり大きな空間部を存在させておく必要がある。このため、一般に小型で走行機体上のスペースが少ないものであるところの、乗用型草刈機の機体上における空間利用効率を低減させてしまうという不具合がある。
【０００５】
本発明は、エンジンボンネット内への塵埃や刈草の入り込みを確実に回避するとともに、エンジンボンネット箇所における構造の小型化も図って、走行機体上の空間利用を効果的に行えるようにする点にその目的がある。
【課題を解決するための手段】
【０００６】
〔解決手段１〕
上記課題を解決するために講じた本発明の技術手段は、請求項１に記載のように、一端側を揺動支点として他端側を上下揺動自在に構成したエンジンボンネットを備える乗用型草刈機において、
前記エンジンボンネットの上下揺動自在な他端側を開放端に形成するとともに、前記エンジンボンネットの開放端側に配置されたラジエータの外周縁と前記エンジンボンネットの内周面との間に形成される空隙を閉塞する仕切部材と、前記ラジエータの吸い込み方向の上手側に位置する塵埃除去用の防塵網とを備え、
これらの仕切部材と防塵網とを防塵網の周辺に仕切部材が接続された状態に一体化して、前記エンジンボンネットの開放端側を閉塞する位置で走行機体側に固定された遮熱壁を構成してあることを特徴とする。
【０００７】
〔作用及び効果〕
上記のように、解決手段１にかかる本発明の乗用型草刈機では、防塵網が仕切部材と一体化されているため、その防塵網と仕切部材との接続箇所における塵埃や刈草の入り込みを回避するには有効である。
そして、ボンネットがラジエータや防塵網の全体を覆うように構成されているのではなく、ボンネットの一端側を開放端に形成して、その開放端側を、走行機体側に固定されている防塵網や仕切部材を一体化した遮熱壁で閉塞するようにしているので、ボンネット自体の前後方向長さを、揺動支点からラジエータの上部に届く程度に設定することができ、ボンネットの全体を小型化することができる。
【０００８】
〔解決手段２〕
本発明の乗用型草刈機における第２の解決手段は、請求項２の記載のように、仕切部材と防塵網とが接続された状態に一体化してある遮熱壁を、その一体化された状態のままで走行機体に対して着脱自在に構成したことである。
【０００９】
〔作用及び効果〕
上記のように、解決手段２にかかる本発明の乗用型草刈機では、前記解決手段１にかかる発明と同等な作用効果の他に、次の作用効果をも奏する。
すなわち、メンテナンス等の作業に際して遮熱壁を着脱するにあたっては、仕切部材と防塵網とが一体化された状態のままで着脱することができるので、それらの仕切部材や防塵網を個別に着脱操作する場合に比べて、その着脱作業の手数を簡略化できるばかりでなく、予め適正な相互位置関係で接続してある仕切部材と防塵網との間では、相互の位置決め調節作業自体が不要であり、着脱関連作業を簡略化できる点で有用である。
【００１０】
〔解決手段３〕
本発明の乗用型草刈機における第３の解決手段は、請求項３の記載のように、エンジンボンネットは、走行機体の後部側に配備された原動部において後部側を揺動支点として前部側を上下揺動自在に構成してあり、原動部の前方側に配備された運転座席の背面側に前記エンジンボンネットの開放端側を位置させたことである。
【００１１】
〔作用及び効果〕
上記のように、解決手段３にかかる本発明の乗用型草刈機では、前記解決手段１及び２にかかる発明と同等な作用効果の他に、次の作用効果をも奏する。
すなわち、前記エンジンボンネットの一端側を開放端にして、そのボンネット自体の前後方向長さを比較的短く形成できたものである。そして、このことに加えて運転座席の背面側に位置させた開放端側には、前記防塵網や仕切部材がラジエータと一体化され、これらが遮熱壁を構成して、ボンネット内の熱気が操縦者に伝わることを効果的に抑制することができるので、前記開放端と運転座席との距離も比較的短く設定することができる。
これによって、走行機体上のスペースが少ない小型の乗用型草刈機においても、その走行機体上における空間利用効率を高めて、走行機体上のスペースを有効利用することができる利点がある。
【発明を実施するための最良の形態】
【００１２】
〔乗用型草刈機の全体構成〕
図１に、本発明に係る乗用型草刈機の全体側面が、また、図２にその全体平面がそれぞれ示されている。この乗用型草刈機は、左右一対の前輪１１および後輪１２によって支持された機体フレーム１０を備える走行機体１の前後輪間に、バーブレード型のモーア４が昇降自在に吊り下げ支持された、いわゆるミッドマウント仕様に構成されている。
走行機体１の後部にはエンジンボンネット２０内にエンジン２１を収容した原動部２が、前記機体フレーム１０の後側フレーム部１０Ｒ上に配備されるとともに、走行機体１の前後中間部位には運転座席１３が配備されている。
【００１３】
運転座席１３の後部には門形の転倒保護フレーム１４が略鉛直に立設固定されている。転倒保護フレーム１４は、その上下中間部位で支点ｘ１周りに後方に折り畳み可能に構成されており、樹木の幹回りの草刈り時に転倒保護フレーム１４を折り畳むことで、転倒保護フレーム１４を張出した枝に引っ掛かけることなく作業ができるよう構成されている。
前記機体フレーム１０における前側フレーム部１０Ｆには、運転座席１３の足元に位置するステップ１５が搭載装着されるとともに、運転座席１３の左右にはフェンダ１６が配備されている。
【００１４】
左右一対の前輪１１はキャスタ式の遊転輪で構成されるとともに、左右一対の後輪１２は左右独立して無段変速および正逆転操作可能な駆動輪に構成されており、左右の後輪１２を等速で共に正転駆動あるいは逆転駆動することで前進あるいは後進での直進走行を行い、左右の後輪１２に速度差を与えることで任意の方向に旋回することができるようになっている。
すなわち、エンジン２１の動力を受けて駆動されるアキシャルプランジャ型の静油圧式無段変速装置（図外）を備え、その静油圧式無段変速装置の出力で左右の後輪１２が駆動されるように構成してあって、かつ、静油圧式無段変速装置の斜板角操作部と運転座席１３の左右に前後揺動操作可能に配備された変速レバー１７とがリンク連動されている。
したがって、変速レバー１７を、その操作領域内で前後方向での中立位置に保持すると静油圧式無段変速装置が中立停止状態となり、変速レバー１７を中立位置から前方に操作することで前進変速が、後方に操作することで後進変速が行えるようになっている。
【００１５】
〔原動部の構成〕
図３乃至図５に示されているように、原動部２では、ラジエータ２２を前側に配備した水冷式ディーゼルエンジン２１が、出力軸心を前後に向かう姿勢で配備されている。エンジン２１およびその前側のラジエータ２２を覆うボンネッ２０は、後側フレーム部１０Ｒから立設されたステー１８の上端に、横向きの支点ｘ２周りで揺動開閉自在に配備されている。
【００１６】
ラジエータ２２の背部にはエンジン動力で回転駆動される冷却ファン２３が配備され、ラジエータ２２の前方側に備えられた除塵用の防塵網３０の吸気口から吸引導入した外気をラジエータ２２に供給するよう構成されている。
前記ラジエータ２２の周囲には、エンジンルーム内の熱気がラジエータ２２の前方に回り込むことを防止するための板状の仕切部材３１が設けてあるとともに、仕切部材３１の外周縁部分には、この仕切部材３１をボンネット２０の内周面に対して弾性密着させるための中空のシール材（トリム）３２が装着されている。
【００１７】
前記防塵網３０は、図３及び図５に示すように、ラジエータ２２の吸気面に対向する後方側の一つの面部分のみが開放されて、他の５面がすべて通気可能な金属製のメッシュ部材で箱状に構成してあり、前記仕切部材３１は、前記防塵網３０と対向する部分に矩形状に切り欠かれた窓部３３を有する金属製の板状体で構成してある。
そして、これらの防塵網３０と仕切部材３１とは、防塵網３０の開口部分３０ａの周縁が、仕切部材３１の切り欠かれた窓部３３の周縁部分と合致した状態でスポット溶接され、両者は一体に接合されて遮熱壁３を構成している。
【００１８】
このように構成された遮熱壁３は、機体フレーム１０に連設された固定台１９に対して、取付ボルト１９ａを介して着脱自在に固定してあり、取付ボルト１９ａによる連結を解除することで、防塵網３０と仕切部材３１とが一体化された状態のままで遮熱壁３の全体を取り外すことができる。
【００１９】
前記遮熱壁３が機体フレーム１０側に固定された状態では、機体後方側の支点ｘ２周りで上下揺動操作自在なエンジンボンネット２０の、機体前方側における開放端側に位置した状態となり、この位置の遮熱壁３が前記ラジエータ２２とともに、エンジンルームの一つの区画壁を構成している。
したがって、エンジンルーム側へ外気を取り込むラジエータ２２とともに存在する遮熱壁３は、ラジエータ２２及びエンジンルーム内への防塵機能を有しているととともに、その機体前方側に配置されている運転座席１３側へのエンジン２１側の熱の伝播を抑制するための遮熱機能をも有している。
【００２０】
〔エンジン作動系の構成〕
図６は、エンジン２１の始動及び停止作動に関する制御回路を示す。
図中の符号、ＳＷ１はスタータスイッチ、ＳＷ２はＰＴＯクラッチ（図外）の入り切りを検出するＰＴＯクラッチスイッチ、ＳＷ３はブレーキ（図外）の入り作動を検出するブレーキスイッチ、ＳＷ４は運転者が運転座席１３に着座した状態であることを検出するシートスイッチ、ＳＷ５は走行レバー（図外）が中立であるか否かを検出する走行レバースイッチをそれぞれ示している。
さらに、符号５０ｒはスタータリレー、５０はスタータ、５１ｒは燃料カットソレノイド駆動リレー、５１は燃料カットソレノイド、５２ｒはイグナイタリレー、５２はイグナイタであり、これらがマイクロコンピュータで構成される制御装置５に接続されている。
【００２１】
そして、上記の各スイッチＳＷ１，ＳＷ２，ＳＷ３，ＳＷ４，ＳＷ５のうち、ＰＴＯクラッチスイッチＳＷ２がＯＦＦで、他の各スイッチＳＷ１，ＳＷ３，ＳＷ４，ＳＷ５がＯＮであるときに燃料供給を可能にして、エンジン２１の始動が可能であるように制御される。そして、前記ブレーキスイッチＳＷ３が制動状態を検出し、走行レバースイッチＳＷ５が走行状態であることを検出すると、所定時間後（３秒程度）にエンジン２１の作動を停止するように、燃料をカットし、イグナイタ５２を作動させる制御を行う。
【００２２】
さらに図２に示すように、運転座席１３には、運転者が着座状態であるか否かを検出するためのシートスイッチＳＷ４を設けてあり、このシートスイッチＳＷ４が所定時間だけＯＦＦ作動すると、運転者が着座状態ではないと判断して、他の各スイッチＳＷ１〜ＳＷ３、及びスイッチＳＷ５の何れの検出状態にも優先して、燃料をカットし、エンジン２１の作動を停止するようにイグナイタ５２を作動させる制御を行う。
【００２３】
〔別実施形態の１〕
前記防塵網３０と仕切部材３１とを一体化して遮熱壁３を構成するにあたり、最良の実施形態で説明したような、防塵網３０と仕切部材３１とを溶接して一体接合したものに限らず、ボルトまたはリベットなどの連結手段を用いて一体接合してもよい。
【００２４】
〔別実施形態の２〕
前記防塵網３０と仕切部材３１とが一体化された遮熱壁３を構成するにあたり、前記防塵網３０と仕切部材３１とが別々に構成されたものを接合して一体化するのではなく、単一の板材をプレス加工して、前記防塵網３０部分と仕切部材３１部分とを同時に成形したものであってもよい。
【００２５】
〔別実施形態の３〕
図７に示すように、図３乃至図５に示すような、防塵網３０と仕切部材３１とで構成した遮熱壁３とは別に、ラジエータ２２の吸気面側とに対向する位置に、多数の通気孔を形成した防熱板３４を設けて遮熱壁３を構成してもよい。この防熱板３４は、仕切部材３１に支持させて仕切部材３１と一体に着脱できるようにしても良いし、ラジエータ２２側に支持させて仕切部材３１や防塵網３０の着脱とは別に着脱できるようにしても良い。
【図面の簡単な説明】
【００２６】
【図１】乗用型草刈機の全体側面図
【図２】乗用型草刈機の全体平面図
【図３】原動部の側面図
【図４】原動部の正面図
【図５】防塵網と仕切部材との組み付け前の分解状態を示す斜視図
【図６】エンジン作動回路を示すブロック図
【図７】他の実施形態における原動部の側面図
【符号の説明】
【００２７】
１              走行機体
２              原動部
３              遮熱壁
４              モーア
１３            運転座席
２０            エンジンボンネット
２１            エンジン
２２            ラジエータ
３０            防塵網
３１            仕切部材
ｘ２            揺動支点
【図１】
2010012998.tif 000003
【図２】
2010012998.tif 000004
【図３】
2010012998.tif 000005
【図４】
2010012998.tif 000006
【図５】
2010012998.tif 000007
【図６】
2010012998.tif 000008
【図７】
2010012998.tif 000009